(57)【特許請求の範囲】
【請求項１】
入力された画像データに基づいて一部数が複数ページを有する複数部数の画像を出力するに際し、予め、確認用の画像出力を行うことが可能な画像形成装置において、
画像出力を開始させる出力開始ボタンと、
前記出力開始ボタンの押下に従い、用紙への画像出力を実行する画像形成部と、
順番出力モードにおいて、前記出力開始ボタンが押下される毎に、確認用の画像出力を一部数のページの順番通りに一枚ずつ実行すべく前記画像形成部を制御する一枚出力制御手段と、を備える
ことを特徴とする画像形成装置。
【請求項２】
請求項１記載の画像形成装置において、
前記確認用の画像出力のページを選択する指定手段を備え、
前記一枚出力制御手段は、選択出力モードにおいて、前記指定手段により選択されたページの確認用の画像出力を実行する
ことを特徴とする画像形成装置。
【請求項３】
請求項２記載の画像形成装置において、
表示部と、
出力される画像の一部数の枚数に応じたページナンバー表示を前記表示部に表示させるページナンバー表示制御手段と、を備える
ことを特徴とする画像形成装置。
【請求項４】
請求項２又は３記載の画像形成装置において、
前記順番出力モード又は前記選択出力モードの何れかを選択可能な出力モード選択手段を備え、
前記一枚出力制御手段は、前記出力モード選択手段により順番出力モードが選択された場合には、前記出力開始ボタンが押下される毎に、確認用の画像出力を一部数のページの順番通りに一枚ずつ実行するとともに、前記出力モード選択手段により選択出力モードが選択された場合には、前記指示手段により選択されたページの確認用の画像出力を実行することを特徴とする画像形成装置。
【請求項５】
請求項１〜４の何れかに記載の画像形成装置において、
表示部と、
前記一部数の確認用の画像出力が全て終了した場合に、設定された部数の画像出力の継続或いは変更を設定するための設定表示画面を前記表示部に表示させる設定表示制御手段と、前記設定表示画面における設定の選択に応じて、画像出力の継続或いは変更を行う実行手段と、を備える
ことを特徴とする画像形成装置。
【請求項６】
請求項５記載の画像形成装置において、
前記一部数の確認用の画像出力の途中時に、前記設定表示画面を前記表示部に表示させるための指示表示画面切換手段を備える
ことを特徴とする画像形成装置。
【請求項７】
入力された画像データに基づいて一部数が複数ページを有する複数部数の画像を出力するに際し、予め、一部数の確認用の画像出力を行うことが可能な画像形成装置において、
用紙への画像出力を実行する画像形成部と、
一部数の確認用の画像出力を一枚ずつ実行する一枚出力モードを指定する一枚出力モード指示手段と、
前記一枚出力モードにおいて、確認用の画像出力を一枚ずつ実行すべく前記画像形成部を制御する一枚出力制御手段と、
ステープルモードを選択するステープルモード選択手段と、
前記ステープルモード選択手段によりステープルモードが選択され、前記一枚出力モード指示手段により一枚出力モードが指定された場合、当該一枚出力モードを解除するか、或いは確認用の画像出力が終了するまでステープルモードを解除するステープルモード解除手段と、を備える
ことを特徴とする画像形成装置。
【請求項８】
請求項７記載の画像形成装置において、
表示部と、
前記一枚出力モード指示手段により一枚出力モードが指定された場合に、ステープルモードを解除するための確認表示を前記表示部に表示させる解除確認表示制御手段と、を備え、前記ステープルモード解除手段は、前記表示部に表示された前記確認表示の選択操作に基づいて、前記一枚出力モードを解除するか前記ステープルモードを解除するかを決定することを特徴とする画像形成装置。
【発明の詳細な説明】
【０００１】
【発明の属する技術分野】
本発明は、画像形成装置に係り、詳細には、複数部数出力する際の確認出力モード動作制御に関する。
【０００２】
【従来の技術】
従来、デジタル複写機等の画像形成装置において、ユーザ等による操作により複数部数の出力設定が行われた場合に、一部数を確認用として出力する確認出力モードが備えられているものがある。
【０００３】
ユーザがこの確認出力モード設定すると、画像形成装置は、一部数だけを出力する。そして、ユーザは、その一部数出力された内容を確認した上で、所望する部数出力することができるため、誤ったコピーを大量にしてしまって紙を無駄にするということを防止することが可能であった。
【０００４】
【発明が解決しようとする課題】
ところで、上記のような確認出力モードにおいては、確認出力モードを設定すると、一部数の全てのページが出力されてしまう。したがって、途中のページに間違えがあることが判明した場合や、特定のページのみを確認したい場合においても、全てのページを出力してしまうために、一部の枚数が多い場合には多量の紙を無駄にしてしまうこととなる。
【０００５】
本発明は、上記問題点に鑑みてなされたものであって、その主たる目的は、複数部数の画像を出力する際において、紙の無駄をより少なくて出力確認することができる画像形成装置を提供することである。
【０００６】
【課題を解決するための手段】
上記課題を解決するため、請求項１記載の発明は、入力された画像データに基づいて一部数が複数ページを有する複数部数の画像を出力するに際し、予め、確認用の画像出力を行うことが可能な画像形成装置において、画像出力を開始させる出力開始ボタンと、前記出力開始ボタンの押下に従い、用紙への画像出力を実行する画像形成部と、順番出力モードにおいて、前記出力開始ボタンが押下される毎に、確認用の画像出力を一部数のページの順番通りに一枚ずつ実行すべく前記画像形成部を制御する一枚出力制御手段と、を備えることを特徴とする。
【０００７】
請求項１記載の発明によれば、出力開始ボタンの押下によって、一枚毎に確認用の画像出力を実行させるための指示をすることができ、一枚毎に確認しながらの画像出力を容易に実現することができる。特に、ページの順番通りに確認用の画像出力を実行させるための順番出力モードにおいては、一枚出力制御手段は、出力開始ボタンの押下に基づいて、確認用の画像出力をページの順番通りに一枚毎に実行すべく画像形成部を制御するので、確認用の画像出力を一枚ずつ順番に確認することができ、一部数全てが出力されずにすむため、紙の無駄がより少なくなる。
【００１０】
請求項２記載の発明は、請求項１記載の画像形成装置において、前記確認用の画像出力のページを選択する指定手段を備え、前記一枚出力制御手段は、選択出力モードにおいて、前記指定手段により選択されたページの確認用の画像出力を実行することを特徴とする。
【００１１】
請求項２記載の発明によれば、請求項１記載の発明と同様の効果が得られるのは勿論のこと、特に、選択されたページの確認用画像出力を実行するための選択出力モードにおいては、ページを選択する指定手段により、一部数の確認用の画像出力が、選択されたページ一枚毎に実行されるので、所望するページのみを画像出力させることができる。
【００１２】
請求項３記載の発明は、請求項２記載の画像形成装置において、表示部と、出力される画像の一部数の枚数に応じたページナンバー表示を前記表示部に表示させるページナンバー表示制御手段と、を備えることを特徴とする。
【００１３】
請求項３記載の発明によれば、請求項２記載の発明と同様の効果が得られるのは勿論のこと、出力画像の一部数の枚数に応じたページナンバー表示が表示部に表示される。
【００１４】
請求項４記載の発明は、請求項２又は３記載の画像形成装置において、前記順番出力モード又は前記選択出力モードの何れかを選択可能な出力モード選択手段を備え、前記一枚出力制御手段は、前記出力モード選択手段により順番出力モードが選択された場合には、前記出力開始ボタンが押下される毎に、確認用の画像出力を一部数のページの順番通りに一枚ずつ実行するとともに、前記出力モード選択手段により選択出力モードが選択された場合には、前記指示手段により選択されたページの確認用の画像出力を実行することを特徴とする。
【００１５】
請求項４記載の発明によれば、請求項２又は３記載の発明と同様の効果が得られるのは勿論のこと、特に、出力モード選択手段によって、順番出力モードと、選択出力モードとの何れかを選択することができ、一枚出力制御手段によって、選択されたモードに従って、確認用画像出力が実行されるので、ユーザの目的にあった出力形態を提供することができる。
【００１６】
請求項５記載の発明は、請求項１〜４の何れかに記載の画像形成装置において、表示部と、前記一部数の確認用の画像出力が全て終了した場合に、設定された部数の画像出力の継続或いは変更を設定するための設定表示画面を前記表示部に表示させる設定表示制御手段と、前記設定表示画面における設定の選択に応じて、画像出力の継続或いは変更を行う実行手段と、を備えることを特徴とする。
【００１７】
請求項５記載の発明によれば、請求項１〜４の何れかに記載の発明と同様の効果が得られるのは勿論のこと、特に、設定表示制御手段によって、一部数の確認用の画像出力が全て終了した場合に、設定された部数の画像出力の継続或いは変更を設定するための設定表示画面が表示部に表示され、実行手段によって設定の選択に応じて画像出力の継続或いは変更が行われるので、ユーザが確認用画像出力後に行う設定操作を簡易にすることができる。
【００１８】
請求項６記載の発明は、請求項５記載の画像形成装置において、前記一部数の確認用の画像出力の途中時に、前記設定表示画面を前記表示部に表示させるための指示表示画面切換手段を備えることを特徴とする。
【００１９】
請求項６記載の発明によれば、請求項５記載の発明と同様の効果が得られるのは勿論のこと、特に、指示表示画面切換手段によって、一部数の確認用画像出力の途中時に、設定表示画面を表示部に表示させることができるので、確認画像出力を途中で終了させて、本来の出力処理や変更処理へと速やかに移ることができる。
【００２２】
請求項７記載の発明は、入力された画像データに基づいて一部数が複数ページを有する複数部数の画像を出力するに際し、予め、一部数の確認用の画像出力を行うことが可能な画像形成装置において、用紙への画像出力を実行する画像形成部と、一部数の確認用の画像出力を一枚ずつ実行する一枚出力モードを指定する一枚出力モード指示手段と、前記一枚出力モードにおいて、確認用の画像出力を一枚ずつ実行すべく前記画像形成部を制御する一枚出力制御手段と、ステープルモードを選択するステープルモード選択手段と、前記ステープルモード選択手段によりステープルモードが選択され、前記一枚出力モード指示手段により一枚出力モードが指定された場合、当該一枚出力モードを解除するか、或いは確認用の画像出力が終了するまでステープルモードを解除するステープルモード解除手段と、を備えることを特徴とする。
【００２３】
請求項７記載の発明によれば、一枚出力モード指示手段によって、一枚毎に確認用の画像出力を実行させるための指示をすることができ、一枚出力制御手段は、前記一枚出力モード指示手段の指示に基づいて、確認用の画像出力を一枚毎に実行し、特に、ステープルモード解除手段によって、ユーザによりステープルモードと一枚毎出力モードとが指示された場合に、一枚出力モードが解除されるか、或いは確認用画像出力が終了するまでステープルモードが解除されるので、一枚毎ステープルされることを防止することができ、確認用の画像出力として一部数全てが出力されずに済むため、紙の無駄がより少なくなる。
【００２４】
請求項８記載の発明は、請求項７記載の画像形成装置において、表示部と、前記一枚出力モード指示手段により一枚出力モードが指定された場合に、ステープルモードを解除するための確認表示を前記表示部に表示させる解除確認表示制御手段と、を備え、前記ステープルモード解除手段は、前記表示部に表示された前記確認表示の選択操作に基づいて、前記一枚出力モードを解除するか前記ステープルモードを解除するかを決定することを特徴とする。
【００２５】
請求項８記載の発明によれば、請求項７記載の発明と同様の効果が得られるのは勿論のこと、特に、解除確認表示制御によって、ステープルモード解除についての確認表示が表示部に表示されるので、ユーザにステープルモードの解除を知らせることができることとなって、より便利なものを提供できる。
【００２６】
【発明の実施の形態】
以下、この発明の実施の形態を、図面を参照して説明する。
【００２７】
まず、構成を説明する。
図１は、本実施の形態における画像形成装置１の内部構成を示すブロック図である。
図１に示す画像形成装置１は、例えば、複写機、プリンタ、ＭＦＰ（Multifunction Peripheral）、印刷機、プリンタ情報提供端末（例えば、キオスク端末）等として用いられる。そして、図１に示すように、画像形成装置１は、制御部２、画像読取部３、画像形成部４、転写部５、記憶部６、ＲＡＭ７、操作入力部９と一体構造の表示部８などにより構成され、各部はバス１０により接続されている。
【００２８】
制御部２は、ＣＰＵ（Central Processing Unit）等から構成され、記憶部６に記憶されているシステムプログラム、及び画像形成に関する各種アプリケーションプログラムの中から指定されたプログラムをＲＡＭ７内の図示しないワークエリアに展開し、操作入力部９等の各構成部から入力されるデータに応じてプログラムに従った各処理を実行して、処理結果をＲＡＭ７に格納すると共に表示部８に表示させ、さらに記憶部６内の所定領域に保存させる。具体的には、制御部２は、記憶部６に記憶される画像出力処理プログラムを読み出して画像出力処理を実行する。
【００２９】
制御部２は、この画像出力処理において、ユーザが操作入力部９により入力した入力信号に基いて、画像読取部３、画像形成部４、転写部５等に指示信号を出力し、ユーザ指定の画像データを、ユーザ指定の画像出力条件で画像出力させる。確認出力モード処理は、具体的には、操作入力部９の確認ボタン９ａが、ユーザによって入力されることにより、制御部２は、確認出力モード処理の制御を実行する。即ち、制御部２は、一枚出力制御手段として、操作入力部９からの一枚出力モードの各種実行信号に従って、画像形成部４、転写部５の動作を制御して確認用の画像を一枚毎に出力する。
【００３０】
また、制御部２は、設定表示制御手段として、確認出力モード処理が終了した場合に、そのまま設定部数の出力処理を継続して実行するか或いは変更するかを、操作入力部９にて選択できる選択画面を、表示部８に表示させる。
更に、制御部２は、ページナンバー表示制御手段として、一枚出力モード時に、一部が複数枚からなる画像データのページナンバーを操作入力部９にて選択可能に、表示部８に表示させる。
また、制御部２は、設定表示画面切換手段として、一部数の確認出力モード処理が終了していなくとも、継続して設定済み部数の出力処理を継続するか、変更するかを操作入力部９にて選択可能な選択画面を表示部８に表示するとともに、実行手段として、選択指示に基づいて、出力の継続、あるいは変更の処理を実行する。
また、ステープルモードに設定されている上で確認出力モード処理の実行信号を検出した場合には、解除確認表示制御手段として、ステープルモードを解除するか否かを操作入力部９にて選択可能な確認表示画面を表示部８に表示させ、更に、ステープルモード解除手段として、ステープルモードを解除して一枚出力処理の実行信号を検出すると、ステープルモードの解除信号を転写部５に出力する。
これら制御部２による各種処理動作は、後述のフローチャートにより詳細に説明する。
【００３１】
画像読取部３は、原稿を載置するコンタクトガラスの下部にスキャナ（図示省略）を備えて構成され、原稿の画像を読み取る。スキャナは、図示しない光源、レンズ、ＣＣＤ（Charge Coupled Device）等により構成され、光源から原稿へ照明走査した光の反射光を結像して光電変換することにより原稿の画像を読み取り、読み取った画像を画像形成部４に出力する。ここで、画像は、図形や写真等のイメージデータに限らず、文字や記号等のテキストデータ等も含む。
【００３２】
画像形成部４は、画像読取部３により出力された画像に対して、操作入力部９からの入力指示に従い、拡大縮小、回転、及び位置変更などの画像処理を施して、その画像処理した画像を転写部５に出力する。
【００３３】
転写部５は、図示しない感光ドラム、トナー、排紙部、給紙部などを備えて構成され、制御部２からの印刷指示に従って、操作入力部９から入力指示されたサイズと向きの印刷用紙を給紙部から搬送して、画像形成部４から入力された画像の静電潜像を感光ドラムにより印刷用紙に感光する。さらに、転写紙５は、感光した印刷用紙にトナーを転写して定着させた後、制御部２によって指示された枚数を排紙口から排紙する。
【００３４】
記憶部６は、ＥＥＰＲＯＭ（Electrically Erasable Programmable Read-Only Memory）等の不揮発性の半導体メモリにより構成され、画像形成装置１で実行可能なシステムプログラム、当該システムに対応する各種処理プログラム、及び各種処理プログラムで処理されたデータ等を記憶する。プログラムは、コンピュータが読み取り可能なプログラムコードの形態で格納され、制御部２は、当該プログラムコードに従った動作を実行する。尚、この記憶部６は、例えば、ＣＤ−ＲＯＭ等の着脱可能な記憶媒体を備えていてもよい。
【００３５】
ＲＡＭ（Random Access Memory）７は、制御部２により実行制御される各種処理において、記憶部６から読み出されたプログラム、入力、若しくは出力データ、及びパラメータ等の一時的な格納領域を形成する。
【００３６】
また、ＲＡＭ７は、画像記憶部７ａを有し、この画像記憶部７ａは、画像読取部３から入力された画像データを一時的に記憶する。
【００３７】
表示部８（表示手段）は、ＬＣＤ（Liquid Crystal Display）等により構成され、制御部２から入力される表示信号の指示に従って画面上に各種操作釦や画像の状態表示を行う。
【００３８】
また、表示部８は、例えば、図３に示すように、操作入力部９と一体的に構成されており、表示部８と、操作入力部９とをあわせて第１の操作表示手段、第２の操作手段として機能する。操作入力部９は、透明電極が格子状に配置された感圧式（抵抗膜圧式）のタッチパネル等により構成されるが、視認性の観点から光の透過率が高いものが望ましい。操作入力部９は、手指や専用のタッチペン等で押された力点のＸＹ座標を電圧値で検出し、検出された位置信号を操作信号として制御部２に出力する。また、操作入力部９は、数字釦や、各種設定を切り換える機能釦等の各種操作釦を備えている。特に確認出力の設定を行うための確認ボタン９ａ（確認モード指示手段）や、出力処理を実行するためのスタートボタン９ｂ（出力開始ボタン）が備えられている。
【００３９】
また、操作入力部９は、画像出力処理において、ユーザにより、例えば、出力するモードの指定、及び出力するページ番号、枚数等の指定を受けると、その操作入力指示に応じた操作信号を制御部２に出力する。すなわち、操作入力部９は出力モードの指定（一枚出力モード指示手段、出力モード選択手段、ステープルモード選択手段）、及び出力するページ番号、枚数等を指定するための指定手段としての機能を有する。
上記構成の画像形成装置１においては、様々な画像出力設定が可能であり、具体的には、例えば、濃度、コントラスト、カラーバランス等の画質、出力枚数、拡大縮小等の変倍率、両面印字の設定等であり、また、画像形成装置に装着されたオプション装置（例えば、ソーター、フィニッシャ、製本装置）の動作設定（例えば、ステープル位置、パンチ孔位置、中折り、Ｚ折り等）等も可能である。
【００４０】
以上、本発明に係る画像形成装置１の構成部分を列挙して、その特徴的な機能的構成について説明した。画像形成装置１が周知の一般的な複写機等の画像形成装置としての機能を実現する為に必要な構成部分の詳細説明は省略しているが、各構成部分が上述した機能以外にも周知の機能や手段を有するのは勿論である。
【００４１】
次に、本発明に係る確認出力モード処理の動作を、図２に示すフローチャートに沿って、以下説明する。
まず、本発明の確認出力モード処理を実行する前提として、ユーザは、本発明の画像形成装置１において、一部数の枚数が複数枚（例えば、１０枚）からなる原稿を、複数部数（例えば、２０部）コピーすることとする。そして、ユーザは、原稿を所定位置に載置させた上で、表示部８に表示された操作入力部９の画像読取開始ボタン等を押圧する。すると、制御部２からの指示によって、同原稿（例えば、１０枚）の全ての画像データが画像読取部３によって読み込まれ、ＲＡＭ７の画像記憶部７ａに格納される。尚、この時、ユーザによる操作入力部９により、コピーする部数（例えば、２０部数）、及び画像条件（濃度、コントラスト、縮小拡大の変倍率、ステープル設定等）等が設定されているものとする。
【００４２】
上記のように、確認出力モード処理の実行に必要な設定がされている状態において、まず、画像形成装置１の制御部２は、確認出力モードボタン９ａがユーザによって押下され、確認出力モードが設定されたか否かを、入力信号の有無を検出することにより判断する（ステップＳ１）
【００４３】
そして、制御部２は、確認出力モードボタン９ａが押下られ、確認出力モードに設定されたと判断した場合（ステップＳ１：Ｙｅｓ）には、ステップＳ２に移行する。
一方、確認出力モードに設定されていないと判断した場合（ステップＳ１：Ｎｏ）には、通常出力処理の指示を画像形成部４に出力する。そして、画像データの通常出力処理が実行される。
【００４４】
ここで、画像の出力処理は、例えば、ＲＡＭ７に格納されていた画像データが、画像形成部４に出力され、この画像形成部４において、ユーザによって予め設定されていた画像条件に従って画像形成され、ユーザによって操作入力部９のスタートボタン９ｂが押圧されることによって、転写部５において、図示しない給紙部に収容された印刷用紙のうち、制御部２に指定されたサイズと向きの印刷用紙に画像データの静電潜像を感光させた後、トナーを転写して排紙部より印刷出力するといった流れで実行される。尚、画像の出力処理は、上述に限られたものではなく、一般的な画像形成処理と同様であるものとし、詳細な説明は省略する。
【００４５】
次いで、ステップＳ２において、制御部２は、まず、図４に示すような確認出力モードにおける出力形態を選択する画面１００を表示部８に表示させる。そこで、ユーザは、「一部出力モード」ボタン１００Ａ、或いは「一枚出力モード」ボタン１００Ｂを押圧し、確認出力形態を選択する。ここで、一部出力モードは、出力設定された複数部数（２０部）のうち、一部（１０枚）を全て一度に出力するモードであり、一枚出力モードは、その一部（１０枚）のうち、一枚毎に出力可能なモードである。
【００４６】
そして、制御部２は、「一枚出力モード」ボタン１００Ｂの入力があったか否かを判断し（ステップＳ２）、入力があったと判断した場合（ステップＳ２：Ｙｅｓ）には、ステップＳ３に移行する。
一方、「一枚出力モード」ボタン１００Ｂの入力がなく、「一部出力モード」ボタン１００Ａの入力があったと制御部２が判断した場合（ステップＳ２：Ｎｏ）には、制御部２は、ＲＡＭ７の画像記憶部７ａに格納してある画像データを一部出力する出力処理を、画像形成部４、及び転写部５に実行させる（ステップＳ９）。
【００４７】
ステップＳ３において、制御部２は、ユーザの操作入力部９の操作によりステープルモードが設定されているか否かを判断する。そして、制御部２は、ステープルモードが設定されていると判断した場合（ステップＳ３：Ｙｅｓ）には、ステップＳ４に移行し、ステープルモードが設定されていないと判断した場合（ステップＳ３：Ｎｏ）には、ステップＳ５に移行する。
【００４８】
ステップＳ４において、制御部２は、図５に示す、ステープルモード設定を解除して一枚出力モード処理を実行するか否かを選択する選択画面１０１を表示部８に表示させる。この選択画面１０１には、「実行」ボタン１０１Ａ、「中止」ボタン１０１Ｂ、「変更」ボタン１０１Ｃが表示されており、ユーザは何れかを選択して押圧する。そして制御部２は、「実行」ボタン１０１Ａが押圧されたか否かを判断し、「実行」ボタン１０１Ａが押圧されたと判断した場合（ステップＳ４：「実行」）には、ステープルモード設定が一枚出力モード処理の実行が終了するまで解除されるようにステープルモード設定解除指示を転写部５に出力し、ステップＳ５に移行する。
一方、制御部２は、「中止」ボタン１０１Ｂがユーザによって押圧されたと判断した場合（ステップＳ４：「中止」）には、確認出力モード処理を終了させる。
【００４９】
尚、制御部２は、「変更」ボタン１０１Ｃがユーザによって押圧されたと判断した場合（ステップＳ４：「変更」）には、ステップＳ２に工程を戻るものとする。
【００５０】
次いで、ステップＳ５において、制御部２は、図６に示すような、出力ページ選択画面１０２を表示部８に表示させる。この出力ページ選択画面１０２は、ＲＡＭ７の画像記憶部７ａに格納されている画像データのページ数の番号が表示され、ユーザが出力するページを選択する画面であって、例えば、原稿が１０枚の場合には、図６に示すように１から１０の番号ボタン１０２Ａが表示されており、この番号は、選択ボタンとしての機能を果たす。
【００５１】
そこで、ユーザは確認出力したいページの番号ボタン１０２Ａを押圧し、出力ページを選択する。そして、出力を開始するためのスタートボタン９ｂを押下すると、制御部２は、ページ選択信号、及び出力開始信号の入力に従って、指定ページ番号の画像の出力指示を、画像形成部４、転写部５に出力し、一枚出力モード処理を実行させる（ステップＳ６）。尚、番号ボタン１０２Ａを押圧することで、出力開始される構成であってもよい。
【００５２】
また、この時、ユーザは、複数ページの番号を選択し（例えば、５ページ、７ページ、８ページ等）、スタートボタン９ｂを押下することにより、複数の選択ページを出力する構成であってもよい。更に、この場合、出力する順番を設定可能であってもよい。
【００５３】
一方、ユーザによってページ番号の選択が行われずにスタートボタン９ｂが押下された場合には、ページ番号の順番に一枚ずつ出力処理が実行されることとする。尚、ページ番号の選択画面を表示させずに一枚出力処理を実行する、即ちページ番号の選択を省略した構成であってもよい。
更に、画像出力するページ番号を選択する選択出力モードと、一枚ずつ順番に出力する順番出力モードとを、ユーザが選択できる構成にしてもよい。
【００５４】
次いで、制御部２は、一部全てのページが出力済みであるか否かを判断し（ステップＳ７）、出力済みであると判断した場合（ステップＳ７：Ｙｅｓ）には、本発明の確認出力モード処理の動作を終了させる。
【００５５】
一方、制御部２は、一部全てのページ画像が出力済みでないと判断した場合（ステップＳ７：Ｎｏ）には、ステップＳ８に移行し、一枚出力モードの終了信号がユーザによって入力されたか否かを判断する。そして、制御部２は、一枚出力モードの終了信号がユーザによって入力されたと判断した場合（ステップＳ８：Ｙｅｓ）には、確認出力モード処理の動作を終了させ、一枚出力モードの終了信号の入力を検出しない場合（ステップＳ８：Ｎｏ）には、ステップＳ５に工程を戻る。
【００５６】
尚、図２のフローチャートには示していないが、確認出力モード処理の終了後、制御部２は、予め設定されていた複数部数（例えば、２０部）の出力処理を継続するか、中止するか、変更するかを選択するための本出力選択画面（図示なし）を表示部８に表示させ、通常出力処理が継続して実行可能な状態にする。
【００５７】
このように、本実施の形態における確認出力モード処理によれば、従来、複数部数を出力する際に出力状態の確認用として一部全てを自動的に出力させていた確認出力モードにおいて、更に一枚単位での確認出力の選択が可能となるので、紙の無駄を抑制することができる。また、ユーザは、一枚毎出力する設定をしたり、出力したいページのみを抜き取って出力させたりといった手間が省け、簡易な操作で希望するページの出力処理ができることとなって大変便利である。
【００５８】
尚、上記実施の形態は、一例に過ぎず、適宜変更可能である。
例えば、確認ボタン９ａ、スタートボタン９ｂは、表示部８に表示される液晶画面上の操作ボタンであってもよい。
また、上記において、出力する画像データは、紙媒体等の原稿から画像読取部３によって読み取られたデータであるとして説明を行ったが、例えば、インターネット等のネットワークを介して受信し、画像記憶部７ａに格納されたものであってもよい。この場合、画像形成装置１は、モデムやターミナルアダプタ等によって構成され、電話回線、ＩＳＤＮ回線、或いは専用線などの通信回線を介してネットワークに接続される外部機器との通信を行うための通信制御を行う、通信制御機能を備えることとする。
【００５９】
【発明の効果】
請求項１記載の発明によれば、ユーザが出力開始ボタンの押下することによって、一枚毎に確認用の画像出力を実行させるための指示を容易に実現することができ、ページの順番通りに確認用の画像出力を実行させるための順番出力モードにおいては、一枚出力制御手段は、出力開始ボタンの押下に基づいて、確認用の画像出力をページの順番通りに一枚毎に実行すべく画像形成部を制御するので、確認用の画像出力を一枚ずつ順番に確認することができ、一部数全てが出力されずにすむため、紙の無駄がより少なくなる。
【００６１】
請求項２記載の発明によれば、請求項１記載の発明と同様の効果が得られるのは勿論のこと、特に、選択されたページの確認用画像出力を実行するための選択出力モードにおいては、ページを選択する指定手段により、一部数の確認用の画像出力が、選択されたページ一枚毎に実行されるので、所望するページのみを画像出力させることができる。
【００６２】
請求項３記載の発明によれば、請求項２記載の発明と同様の効果が得られるのは勿論のこと、出力画像の一部数の枚数に応じたページナンバー表示が表示部に表示される。
【００６３】
請求項４記載の発明によれば、請求項２又は３記載の発明と同様の効果が得られるのは勿論のこと、特に、出力モード選択手段によって、順番出力モードと、選択出力モードとの何れかを選択することができ、一枚出力制御手段によって、選択されたモードに従って、確認用画像出力が実行されるので、ユーザの目的にあった出力形態を提供することができる。
【００６４】
請求項５記載の発明によれば、請求項１〜４の何れかに記載の発明と同様の効果が得られるのは勿論のこと、特に、設定表示制御手段によって、一部数の確認用の画像出力が全て終了した場合に、設定された部数の画像出力の継続或いは変更を設定するための設定表示画面が表示部に表示され、実行手段によって設定の選択に応じて画像出力の継続或いは変更が行われるので、ユーザが確認用画像出力後に行う設定操作を簡易にすることができる。
【００６５】
請求項６記載の発明によれば、請求項５記載の発明と同様の効果が得られるのは勿論のこと、特に、指示表示画面切換手段によって、一部数の確認用画像出力の途中時に、設定表示画面を表示部に表示させることができるので、確認画像出力を途中で終了させて、本来の出力処理や変更処理へと速やかに移ることができる。
【００６７】
請求項７記載の発明によれば、一枚出力モード指示手段によって、一枚毎に確認用の画像出力を実行させるための指示をすることができ、一枚出力制御手段は、前記一枚出力モード指示手段の指示に基づいて、確認用の画像出力を一枚毎に実行し、特に、ステープルモード解除手段によって、ユーザによりステープルモードと一枚毎出力モードとが指示された場合に、一枚出力モードが解除されるか、或いは確認用画像出力が終了するまでステープルモードが解除されるので、一枚毎ステープルされることを防止することができ、確認用の画像出力として一部数全てが出力されずに済むため、紙の無駄がより少なくなる。
請求項８記載の発明によれば、請求項７記載の発明と同様の効果が得られるのは勿論のこと、特に、解除確認表示制御によって、ステープルモード解除についての確認表示が表示部に表示されるので、ユーザにステープルモードの解除を知らせることができることとなって、より便利なものを提供できる。
【図面の簡単な説明】
【図１】本発明にかかる画像形成装置１の内部構成を説明するためのブロック図である。
【図２】本発明に係る画像形成装置１の確認出力モード処理の動作を説明するためのフローチャートである。
【図３】図１に示す表示部８と操作入力部９の配置構成の一例を示す図である。
【図４】本発明の確認出力モード処理における、一枚出力モード、一部出力モードを選択する選択画面の表示例を示した図である。
【図５】本発明の確認出力モード処理における、ステープルモード解除を選択する選択画面の表示例を示した図である。
【図６】確認出力するページ番号を選択する選択画面の表示例を示した図である。
【符号の説明】
１  画像形成装置
２  制御部（一枚出力制御手段、ページナンバー表示制御手段、設定表示制御手段、実行手段、指示表示画面切換手段、ステープルモード解除手段、解除確認表示制御手段）
３  画像読取部
４  画像形成部
５  転写部
６  記憶部
７  ＲＡＭ
８  表示部（表示手段、第１の表示操作部、第２の表示操作部）
９  操作入力部（出力モード選択手段、一枚出力モード指示手段、ステープルモード選択手段）
９ａ  確認出力モードボタン
９ｂ  スタートボタン（出力開始ボタン）
【図１】
0004265137.tif 000002
【図２】
0004265137.tif 000003
【図３】
0004265137.tif 000004
【図４】
0004265137.tif 000005
【図５】
0004265137.tif 000006
【図６】
0004265137.tif 000007